(57)【要約】  ＷＣＤＭＡネットワークにおいて屋内で使用されるようになっている基地局（１００）であって、電源ユニット（３０３）を含み且つ支持構造体に対して取り付けられるようになっている支持ユニット（４０１）と、前記支持ユニットにより機械的に支持される完備型基地局ユニット（４０２）とを備えている基地局（１００）。
2007531388.tif 000002
【特許請求の範囲】
【請求項１】
ＷＣＤＭＡネットワークにおいて屋内で使用されるようになっている基地局（１００）であって、電源ユニット（３０３）を含み且つ支持構造体に対して取り付けられるようになっている支持ユニット（４０１）と、前記支持ユニットにより機械的に支持される完備型基地局ユニット（４０２）とを備えている、基地局（１００）。
【請求項２】
前記完備型基地局ユニット（４０２）は、前記支持ユニット（４０１）および基地局ユニット（４０２）に設けられた協働するスナップロック手段（６０２，７０３）により前記支持ユニット（４０１）内に固定される別個のドッキングユニットとして構成され、それにより、前記完備型基地局ユニット（４０２）を、前記支持ユニット（４０１）に容易に取り付け／前記支持ユニット（４０１）から容易に取り外すことができることを更に特徴とする、請求項１に記載の基地局（１００）。
【請求項３】
前記支持ユニット（４０１）内に収容された前記電源ユニット（３０３）は、前記完備型基地局ユニット（４０２）にＤＣ電圧を供給するＡＣ／ＤＣ変換器を備えていることを更に特徴とする、請求項１または２に記載の基地局（１００）。
【請求項４】
前記基地局ユニット（４０２）は、硬質金属バックプレート（１２０１）と、硬質金属フロントプレート（１２０８）と、前記バックプレートと前記フロントプレート（１２０１）との中間に取り付けられた主回路基板（１２０６）とを備えるサンドイッチ構造を成していることを更に特徴とする、請求項１から３のいずれか一項に記載の基地局（１００）。
【請求項５】
前記硬質金属バックプレート（１２０１）が冷却フランジ（１６０１）を備えている、請求項４に記載の基地局（１００）。
【請求項６】
前記バックプレート（１２０１）の冷却フランジ（１６０１）は、前記回路基板（１２０６）から離れて面する側に配置され、これにより、前記主回路基板（１２０６）は、前記バックプレート（１２０１）を通じた自己対流により冷却される、請求項５に記載の基地局（１００）。
【請求項７】
制御処理ブロック、ベースバンド処理ブロック、ＲＦブロックの全ての回路が前記主回路基板（１２０６）上に配置されている、請求項４から６のいずれか一項に記載の基地局（１００）。
【請求項８】
前記主回路基板（１２０６）は、前記主回路基板を前記ブロックのための別個の回路を持つ領域に分割する境界部（１２０７）を備え、前記フロントプレートは、前記境界部（１２０７）と係合して前記別個の回路を互いからシールドする端部を有する内壁（１５０１）を備えていることを更に特徴とする、請求項７に記載の基地局（１００）。
【請求項９】
接点インタフェースにより前記主回路基板（１２０６）に対して取り付け可能な別個の回路基板（１２１０）の形態を成して実現される送信インタフェースブロックを備え、それにより、前記回路基板（１２１０）の容易な交換が可能になることを更に特徴とする、請求項４から８のいずれか一項に記載の基地局（１００）。
【請求項１０】
前記支持ユニット（４０１）が支持部材（６０１）を備え、前記基地局ユニット（４０２）は、回動可能な係合状態で前記支持部材（１６０１）に対して接続されるようになっている協働するハンガー手段（７０１）を備え、前記スナップロック手段（６０２，７０３）は、前記支持ユニット（４０１）および前記基地局ユニット（４０２）に設けられ、前記基地局ユニットを回動させることにより互いに係合するようになっていることを特徴とする、請求項１から９のいずれか一項に記載の基地局（１００）。
【請求項１１】
前記スナップロック手段（６０２，７０３）は、前記支持ユニット（４０１）の側壁に設けられた内側に突出するノブと、前記基地局ユニット（４０２）の協働する凹部とによって形成され、前記ノブと前記凹部との係合は、前記基地局ユニット（４０２）を前記支持ユニット（４０１）から垂直上方および水平外側に移動しないようにロックすることを特徴とする、請求項１０に記載の基地局（１００）。
【請求項１２】
前記スナップロック手段は、前記支持ユニット（４０１）の側壁に配置されたバネ荷重係合手段と、前記基地局ユニット（４０２）の側壁の協働する凹部とにより実現されることを特徴とする、請求項１０に記載の基地局（１００）。
【請求項１３】
前記基地局（１００）は、外部アラーム機器と前記基地局（１００）の制御処理ユニット（１４０４）とを接続することにより前記外部アラーム機器と中央アラーム局との間に通信チャンネルを形成できる少なくとも１つのインタフェースを備えていることを特徴とする、請求項１から１２のいずれか一項に記載の基地局（１００）。
【請求項１４】
ハンドル（７０２）を備えていることを特徴とする、請求項１から１３のいずれか一項に記載の基地局（１００）。
【請求項１５】
前記基地局ユニット（４０２）が前記支持ユニット（４０１）内に取り付けられるときに前記ハンドル（７０２）が前記基地局ユニット（４０２）の下端に配置され、前記ハンドル（７０２）がケーブルレース溝を更に備えていることを特徴とする、請求項１４に記載の基地局（１００）。
【請求項１６】
前記基地局ユニット（４０２）が前記支持ユニット（４０１）内に取り付けられるときに前記基地局の下端に少なくとも１つのケーブル接点がハンドルの下側で約４５度傾けられて位置されることを特徴とする、請求項１５に記載の基地局（１００）。
【請求項１７】
電磁波を透過する材料から成るフロントカバー（４０４）によって覆われる内部アンテナ（４０３）を備えていることを特徴とする、請求項１から１６のいずれか一項に記載の基地局（１００）。
【請求項１８】
ＷＣＤＭＡネットワークにおいて屋内で使用されるようになっている基地局（１００）であって、電源（３０３）に接続するためのインタフェース（１４０５）を有する基地局ユニット（４０２）と、無線ネットワークコントローラＲＮＣと、アンテナ（４０３）とを備え、前記基地局ユニット（４０２）が、硬質金属バックプレート（１２０１）と、硬質金属フロントプレート（１２０８）と、前記バックプレート（１２０１）と前記フロントプレート（１２０８）との中間に取り付けられた主回路基板（１２０６）とを備える、サンドイッチ構造を成している基地局（１００）。
【請求項１９】
前記硬質金属バックプレート（１２０１）が冷却フランジ（１６０１）を備えている、請求項１８に記載の基地局。
【請求項２０】
前記冷却フランジ（１６０１）は、前記回路基板（１２０６）から離れて面する側に配置され、これにより、前記主回路基板（１２０６）は、前記バックプレートの自己対流により冷却される、請求項１９に記載の基地局。
【請求項２１】
制御処理ブロック（１４０４）、ベースバンド処理ブロック（１４０２）、ＲＦブロック（１４０１）の全ての回路が前記主回路基板（１２０６）上に配置されている、請求項１８から２０のいずれか一項に記載の基地局（１００）。
【請求項２２】
前記主回路基板（１２０６）は、前記主回路基板を前記ブロックのための別個の回路を持つ領域に分割する境界部（１２０７）を備え、前記フロントプレート（１２０８）は、前記境界部（１２０７）と係合して前記別個の回路を互いからシールドする端部を有する内壁（１５０１）を備えていることを更に特徴とする、請求項２１に記載の基地局。
【請求項２３】
前記フロントプレート（１２０８）は内部アンテナ（４０３）を取り付けるための機械的なインタフェースを備え、前記アンテナは、電磁波を透過する材料から成るフロントカバー（４０４）によって覆われる、請求項１８から２２のいずれか一項に記載の基地局。
【請求項２４】
前記主回路基板（１２０６）の制御処理ブロック（１４０４）および無線周波数ブロック（１４０１）は、前記フロントプレート（１２０８）とバックプレート（１２０１）との間に形成された別個のシールドされた区画室内に配置され、それにより、前記制御処理ブロック（１４０４）および無線周波数ブロック（１４０１）が基地局（１００）の他の電気回路から電磁気的にシールドされることを更に特徴とする、請求項２１または２２に記載の基地局。
【請求項２５】
接点インタフェースにより前記主回路基板（１２０６）に対して取り付け可能な別個の回路基板（１２１０）上に送信インタフェースブロックが実現され、それにより、前記回路基板（１２１０）の容易な交換が可能になることを更に特徴とする、請求項２０から２４のいずれか一項に記載の基地局。
【請求項２６】
前記回路基板（１２１０）、前記回路基板（１２０６）のベースバンド処理ブロック（１４０２）およびＤＣ／ＤＣブロック（１４０３）は、前記フロントプレート（１２０８）とバックプレート（１２０１）との間に形成された別個のシールドされた区画室内に配置され、それにより、前記回路基板（１２１０）、前記ベースバンド処理ブロック（１４０２）、および前記ＤＣ／ＤＣブロック（１４０３）が基地局（１００）の他の電気回路から電磁気的にシールドされることを更に特徴とする、請求項２５に記載の基地局。
【請求項２７】
１つ以上のマクロ基地局を含むセルラー無線ネットワークであって、請求項１から２６のいずれか一項に記載の基地局を更に備えることを特徴とする、セルラー無線ネットワーク。
【請求項２８】
ＷＣＤＭＡネットワークにおいて屋内で使用される基地局（１００）の設置を支援するための方法であって、前記基地局が、電源ユニット（３０３）を含む支持ユニット（４０１）と、前記支持ユニット（４０１）により機械的に支持される完備型基地局ユニット（４０２）とを備えている方法において、
前記支持ユニット（４０１）を支持構造体に対して機械的に取り付けるステップと、
前記基地局ユニット（４０２）を前記支持ユニット（４０１）に対して機械的に取り付けるステップと、
前記基地局ユニットを、前記ネットワークの無線ネットワークコントローラＲＮＣと、アンテナ（４０３）と、前記電源ユニット（３０３）とに対して接続するステップと、
アプリケーションソフトウェアおよびオフィスデータをマネージメントツールから前記基地局ユニットへとダウンロードして、前記基地局ユニット（４０２）と前記ＲＮＣとの間に通信チャンネルを形成できるようにするステップと、
を含む方法。
【請求項２９】
前記基地局ユニット（４０２）を前記支持ユニット（４０１）に対して機械的に取り付ける前記ステップは、
前記支持ユニット（４０１）および前記基地局ユニット（４０２）に設けられた協働するスナップロック手段（６０２，７０３）を係合することにより前記基地局ユニット（４０２）をドッキングさせるステップ、
を含む、請求項２８に記載の方法。
【請求項３０】
前記基地局ユニット（４０２）を前記支持ユニット（４０１）に対して機械的に取り付ける前記ステップは、
前記基地局ユニット（４０２）のハンガー部材（７０１）を前記支持ユニット（４０１）の協働する支持部材（６０１）と係合させるステップと、
前記基地局ユニット（４０２）を回動させることにより、前記支持ユニット（４０１）および前記基地局ユニット（４０２）に設けられた協働するスナップロック手段（６０２，７０３）を係合させるステップと、
を含む、請求項２８に記載の方法。
【請求項３１】
外部アラーム機器を前記基地局ユニット（４０２）に対して接続するステップと、
前記外部アラーム機器のための特定のソフトウェアを前記基地局ユニット（４０２）の制御ブロックユニット（１４０４）へとダウンロードして、前記アラーム機器と中央アラーム局との間に通信チャンネルを形成できるようにするステップと、
を更に含む、請求項２８から３０のいずれか一項に記載の方法。
【請求項３２】
ローカルマネージメントツールにより前記マネージメントツールを前記基地局ユニットに対して直接に接続して、前記アプリケーションソフトウェアおよびオフィスデータを前記基地局ユニットへ直接にダウンロードできるようにするステップ、
を含む、請求項２８に記載の方法。
【請求項３３】
前記マネージメントツールを前記ネットワークの中央無線ネットワークコントローラＲＮＣに対して接続して、前記アプリケーションソフトウェアおよびオフィスデータを、前記ネットワークを介して前記基地局へダウンロードできるようにするステップ、
を含む、請求項２８に記載の方法。
【請求項３４】
請求項１８から２６のいずれか一項に記載の基地局の組立方法であって、
組立支持体上にバックプレート（１２０１）を配置するステップと、
前記バックプレート（１２０１）上に回路基板（１２０６）を配置するステップと、
前記回路基板（１２０６）を前記バックプレート（１２０１）に対して取り付けるステップと、
前記回路基板（１２０６）上にフロントプレート（１２０８）を配置するステップと、
前記フロントプレート（１２０８）を前記バックプレート（１２０６）に対して取り付けるステップと、
を含む、組立方法。
【発明の詳細な説明】
【技術分野】
【０００１】
本発明は、第３世代（３Ｇ）のモバイル通信システムで使用できる基地局に関する。特に、本発明は、多くのユーザが比較的小さな領域に位置付けられているホットスポットでの実施に適する屋内使用のための小型基地局に関する。
【背景技術】
【０００２】
初期のアナログシステム、例えば規格ＡＭＰＳ（先進移動電話システム）およびＮＭＴ（ノルディック移動電話）により規定されるアナログシステムから、携帯電話産業は過去数十年にわたり世界中でものすごい発展を遂げてきた。過去数年において、開発は、ほぼ例外なく、一般に第２世代のモバイル通信システムと称される（例えばＥＩＡ／ＴＩＡ−ＩＳ−５４−ＢおよびＩＳ−１３６で定められるような）Ｄ−ＡＭＰＳおよびＧＳＭ（グローバル・システム・フォー・モバイル・コミュニケーションズ）などのセルラー無線ネットワークシステムにおけるデジタルソリューションのための規格に焦点が合わされてきた。
【０００３】
現在、携帯電話技術は３Ｇ  ＷＣＤＭＡ（広帯域符号分割多元接続）とも称される第３世代に入っており、これは、新たなＩＭＴ−２０００周波数帯域で最も幅広く採用されている３Ｇエアーインタフェース技術である。３ＧＰＰ（第３世代パートナーシッププロジェクト）およびＩＴＵ（国際電気通信連合）により規格化されていることから、ＷＣＤＭＡは、無線通信産業内で幅広く受け入れられてきた。２００５年までに、１００個近くのＷＣＤＭＡネットワークが世界的に稼動することが期待される。
【０００４】
最初から、ＷＣＤＭＡは、現代のモバイルマルチメディアアプリケーションおよび従来からのモバイル音声サービスの両方において費用効率が高い容量を与えるように設計された。この技術の重要な利点のうちの１つは、無線ベアラーのための効率的で柔軟なサポートであり、この場合、ネットワーク容量を同じキャリア内において音声とデータとの間で自由に割り当てることができる。また、ＷＣＤＭＡは、複数の同時サービス、および、スループット、転送遅延、ビット誤り率に関して異なるサービス品質を有する複数の構成要素を備えるマルチメディアサービスの両方をサポートする。
【０００５】
ＷＣＤＭＡにおいては、ユーザデータが約５ＭＨｚの帯域幅にわたって広げられる。幅広い帯域幅は、高いユーザデータ転送速度をサポートするとともに、周波数ダイバーシティに起因する性能利点を与える。しかしながら、システムユーザに利用できる正確なデータ送信速度は容易に予測することができない。モバイルネットワークの実際の容量は、天候状態、現在共通の基地局を通じて通信しているユーザの数、最も重要なものとしてセル密度および無線トラフィックチャンネル密度などの多くの因子によって影響される。ＷＣＤＭＡに関する専門用語において、無線基地局はノードＢと称される。
【発明の開示】
【発明が解決しようとする課題】
【０００６】
一般的な目的は、セルラー無線ネットワークを設計し／製造し／動作させる際の基地局の設置／動作／メンテナンスコストを減らすことである。
【０００７】
大きなマクロ無線基地局は高い容量および高いカバレージの両方を幅広い領域にわたって与えるが、ピコノードＢは、容量を高めるように構成されるとともに、マクロセルのカバレージと比べて比較的小さなカバレージ領域（サービスエリア）内で更なる数の（屋内）ユーザを扱う。したがって、ピコノードＢは、通常、多くの場合にホットスポット領域と称される地理的に限られた領域でマクロ基地局におけるトラフィック負荷を減らすために補助的な基地局として３Ｇシステムで使用される。
【０００８】
また、ピコノードＢは、マクロ基地局が満足な無線カバレージを与えないホワイトスポットをカバーするために使用することもできる。また、ピコノードＢは、局所的な屋内ホットスポットおよびオフィスの容量を高め、それにより既存のマクロベースネットワークをオフロードしてＵＭＴＳ無線ネットワークにおける全体の質を高めるために使用されても良い。
【０００９】
従来の火災警報器および盗難警報器は、通常、電話機回路網を通じて中央アラーム局と通信する。一般的な問題は、これらのアラームが望ましい場合に電話接続ジャックを常に利用できるとは限らないことである。
【課題を解決するための手段】
【００１０】
本発明は、前記問題を解決し／軽減し／解消するという目的を有している。
【００１１】
第１の態様において、本発明は、ＷＣＤＭＡネットワークにおいて屋内で使用されるようになっている基地局であって、電源ユニットを含み且つ支持構造体に対して取り付けられるようになっている支持ユニットと、前記支持ユニットにより機械的に支持される完備型基地局ユニットとを備えている基地局を提供する。利点は、前記完備型基地局ユニットを容易に運ぶことができるようにコンパクトで軽量なユニットとして形成できるという点である。
【００１２】
１つの実施形態において、前記完備型基地局ユニットは、前記支持ユニットおよび基地局ユニットに設けられた協働するスナップロック手段により前記支持ユニット内に固定される別個のドッキングユニットとして構成され、それにより、前記完備型基地局ユニットを、前記支持ユニットに容易に取り付け／前記支持ユニットから容易に取り外すことができる。
【００１３】
１つの実施形態において、前記支持ユニット内に収容された前記電源ユニットは、前記完備型基地局ユニットにＤＣ電圧を供給するＡＣ／ＤＣ変換器を備えている。利点は、ＤＣ電圧を例えば１２Ｖなど、比較的低くすることができ、それにより、完備型基地局ユニットを低電圧レベル用に形成できるという点である。
【００１４】
１つの実施形態において、前記基地局ユニットは、硬質金属バックプレートと、硬質金属フロントプレートと、前記バックプレートと前記フロントプレートとの中間に取り付けられた主回路基板とを備えるサンドイッチ構造を成している。これにより、コンパクトで軽量な構造が可能になり、また、効率的な製造方法が可能になる。
【００１５】
１つの実施形態においては、前記硬質金属バックプレートが冷却フランジを備えている。１つの実施形態において、これらの冷却フランジは、前記回路基板から離れて面する側に配置される。このようにすれば、前記主回路基板は、前記バックプレートを通じて自己対流により冷却される。
【００１６】
１つの実施形態においては、制御処理ブロック、ベースバンド処理ブロック、ＲＦブロックの全ての回路が前記主回路基板上に配置されている。これにより、コンパクトな構造および効率的な製造方法が得られる。
【００１７】
１つの実施形態において、前記主回路基板は、前記主回路基板を前記ブロックのための別個の回路を持つ領域に分割する境界部を備え、前記フロントプレートは、前記境界部と係合して前記別個の回路を互いからシールドする端部を有する内壁を備えている。このようにすれば、前記別個の回路が互いに電磁気的にシールドされる。
【００１８】
１つの実施形態において、送信インタフェースブロックは、接点インタフェースにより前記主回路基板に対して取り付け可能な別個の回路基板の形態で実現される。利点は、この構造により、今後において送信規格を更新する場合及び／又は回路基板故障の場合に、前記回路基板を容易に交換できるという点である。
【００１９】
１つの実施形態においては、前記支持ユニットが支持部材を備え、前記基地局ユニットは、回動可能な係合状態で前記支持部材に対して接続されるようになっている協働するハンガー手段を備え、前記スナップロック手段は、前記支持ユニットおよび前記基地局ユニットに設けられ、前記基地局ユニットを回動させることにより互いに係合するようになっている。これにより、基地局ユニットを迅速に且つ簡単に取り付け／取り外すことができる。
【００２０】
１つの実施形態において、前記スナップロック手段は、前記支持ユニットの側壁に設けられた内側に突出するノブと、前記基地局ユニットの協働する凹部とによって形成され、前記ノブと前記凹部との係合は、前記基地局ユニットを前記支持ユニットから垂直上方および水平外側に移動しないようにロックする。
【００２１】
１つの実施形態において、前記スナップロック手段は、前記支持ユニットの側壁に配置されたバネ付き係合手段と、前記基地局ユニットの側壁の協働する凹部とにより実現される。
【００２２】
このことは、基地局ユニットが支持ユニット内に安全に固定されると同時に、基地局ユニットを支持ユニットから手で簡単に取り外すことができることを意味している。
【００２３】
１つの実施形態において、前記基地局は、外部アラーム機器と前記基地局の制御処理ユニットとを接続することにより前記外部アラーム機器と中央アラーム局との間に通信チャンネルを形成できる少なくとも１つのインタフェースを備えている。
【００２４】
１つの実施形態において、前記基地局ユニットはハンドルを備えている。これにより、前記ユニットを簡単に持ち運べるスーツケースとして構成することができる。
【００２５】
１つの実施形態においては、前記基地局ユニットが前記支持ユニット内に取り付けられるときに前記ハンドルが前記基地局ユニットの下端に配置され、前記ハンドルがケーブルレース溝を更に備えている。これにより、手で簡単且つ迅速に設置することができ、また、ケーブル接点が故障する危険を減らすことができる。
【００２６】
１つの実施形態においては、前記基地局ユニットが前記支持ユニット内に取り付けられるときに前記基地局の下端に少なくとも１つのケーブル接点がハンドルの下側で約４５度傾けられて位置される。これにより、手で簡単且つ迅速に設置することができ、また、ケーブル接点が故障する危険を減らすことができる。
【００２７】
１つの実施形態において、前記基地局は、電磁波を透過する材料から成るフロントカバーによって覆われる内部アンテナを備えている。これにより、構成をコンパクトにすることができるとともに、基地局の設置を簡略化できる。
【００２８】
第２の態様において、本発明は、ＷＣＤＭＡネットワークにおいて屋内で使用されるようになっている基地局であって、電源に接続するためのインタフェースを有する基地局ユニットと、無線ネットワークコントローラＲＮＣと、アンテナとを備え、前記基地局ユニットが、硬質金属バックプレートと、硬質金属フロントプレートと、前記バックプレートと前記フロントプレートとの中間に取り付けられた主回路基板とを備えるサンドイッチ構造を成している基地局を提供する。
【００２９】
１つの実施形態においては、前記硬質金属バックプレートが冷却フランジを備えている。
【００３０】
１つの実施形態において、前記冷却フランジは、前記回路基板から離れて面する側に配置され、これにより、前記主回路基板は、前記バックプレートの自己対流により冷却される。
【００３１】
１つの実施形態においては、制御処理ブロック、ベースバンド処理ブロック、およびＲＦブロックの全ての回路が前記主回路基板上に配置されている。これにより、コンパクトな構造および効率的な製造方法が得られる。また、例えば別個の回路基板の形態を成す取り外し可能な送信インタフェースが前記主回路基板に接続されても良い。前記主回路基板上には電圧供給ＤＣ／ＤＣブロックも配置される。
【００３２】
１つの実施形態において、前記主回路基板は、前記主回路基板を前記ブロックのための別個の回路を持つ領域に分割する境界部を備え、前記フロントプレートは、前記境界部と係合して前記別個の回路を互いからシールドする端部を有する内壁を備えている。
【００３３】
１つの実施形態において、前記フロントプレートは内部アンテナを取り付けるための機械的なインタフェースを備え、前記アンテナは、電磁波を透過する材料から成るフロントカバーによって覆われる。これにより、コンパクトな構造が得られる。
【００３４】
１つの実施形態において、前記主回路基板の制御処理ブロックおよび無線周波数ブロックは、前記フロントプレートとバックプレートとの間に形成された別個のシールドされた区画室内に配置され、それにより、前記制御処理ブロックおよびＲＦ周波数ブロックが基地局の他の電気回路から電磁気的にシールドされる。
【００３５】
１つの実施形態においては、前記ベースバンド処理ブロック、前記主回路基板の送信インタフェースブロックおよびＤＣ／ＤＣブロックも、前記フロントプレートとバックプレートとの間に形成された別個のシールドされた区画室内に配置され、それにより、前記制御処理ブロック、無線周波数ブロック、ベースバンド処理ブロック、ＤＣ／ＤＣブロックが基地局の他の電気回路から電磁気的にシールドされる。
【００３６】
１つの実施形態において、前記基地局の送信インタフェースブロックは、接点インタフェースにより主回路基板に対して取り付け可能な別個の回路基板上に実現され、それにより、前記回路基板の容易な交換が可能になる。
【００３７】
１つの実施形態においては、前記回路基板、ベースバンド処理ブロック、前記回路基板のＤＣ／ＤＣブロックが、前記フロントプレートとバックプレートとの間に形成された別個のシールドされた区画室内に配置され、それにより、前記回路基板、ベースバンド処理ブロック、ＤＣ／ＤＣブロックが基地局の他の電気回路から電磁気的にシールドされる。
【００３８】
第３の態様において、本発明は、１つ以上のマクロ基地局を含むセルラー無線ネットワークであって、前述した態様のいずれかに係る基地局を更に備えるセルラー無線ネットワークを提供する。
【００３９】
第４の態様において、本発明は、ＷＣＤＭＡネットワークにおいて屋内で使用される基地局の設置を支援するための方法であって、前記基地局が、電源ユニットを含む支持ユニットと、前記支持ユニットにより機械的に支持される完備型基地局ユニットとを備えている方法において、
前記支持ユニットを支持構造体に対して機械的に取り付けるステップと、
前記基地局ユニットを前記支持ユニットに対して機械的に取り付けるステップと、
前記基地局ユニットを、前記ネットワークの無線ネットワークコントローラＲＮＣと、アンテナと、前記電源ユニットとに対して接続するステップと、
アプリケーションソフトウェアおよびオフィスデータをマネージメントツールから前記基地局ユニットへとダウンロードして、前記基地局ユニットと前記ＲＮＣとの間に通信チャンネルを形成できるようにするステップと、
を含む、方法を提供する。
【００４０】
１つの実施形態において、前記基地局ユニットを前記支持ユニットに対して機械的に取り付ける前記ステップは、
前記支持ユニットおよび前記基地局ユニットに設けられた協働するスナップロック手段を係合することにより前記基地局ユニットをドッキングさせるステップ、
を含んでいる。
【００４１】
１つの実施形態において、前記基地局ユニットを前記支持ユニットに対して機械的に取り付ける前記ステップは、
前記基地局ユニットのハンガー部材を前記支持ユニットの協働する支持部材と係合させるステップと、
前記基地局ユニットを回動させることにより、前記支持ユニットおよび前記基地局ユニットに設けられた協働するスナップロック手段を係合させるステップと、
を含んでいる。
【００４２】
１つの実施形態において、前記方法は、
外部アラーム機器を前記基地局ユニットに対して接続するステップと、
前記外部アラーム機器のための特定のソフトウェアを前記基地局ユニットの制御ブロックユニットへとダウンロードして、前記アラーム機器と中央アラーム局との間に通信チャンネルを形成できるようにするステップと、
を更に含んでいる。
【００４３】
１つの実施形態において、前記方法は、
ローカルマネージメントツールにより前記マネージメントツールを前記基地局ユニットに対して直接に接続して、前記アプリケーションソフトウェアおよびオフィスデータを前記基地局ユニットへ直接にダウンロードできるようにするステップ、
を更に含んでいる。
【００４４】
１つの実施形態において、前記方法は、
前記マネージメントツールを前記ネットワークの中央無線ネットワークコントローラＲＮＣに対して接続して、前記アプリケーションソフトウェアおよびオフィスデータを前記ネットワークを介して前記基地局へダウンロードできるようにするステップ、
を更に含んでいる。
【００４５】
第４の態様において、本発明は、前記第２の態様に係る基地局の組立方法であって、
組立支持体上にバックプレートを配置するステップと、
前記バックプレート上に回路基板を配置するステップと、
前記回路基板を前記バックプレートに対して取り付けるステップと、
前記回路基板上にフロントプレートを配置するステップと、
前記フロントプレートを前記バックプレートに対して取り付けるステップと、
を含む組立方法を提供する。
【００４６】
本発明の特徴および利点は、添付図面を参照する好ましい実施形態の以下の説明から更に明らかである。
【発明を実施するための最良の形態】
【００４７】
本発明の実施形態は、カバレージを高め且つ容量を増大させるための屋内環境での使用を対象とした基地局を含む通信ネットワークに関する。提案された基地局は、屋内使用のために最適化された、すなわち、小型且つ軽量で壁や天井に装着できる低電力・高容量のノードＢである。オプションのフロントカバーは、基地局がその設置環境に溶け込めるようにするために利用できる。基地局は、自己対流冷却に起因してノイズが無い。ここで説明する本発明に係るコンパクトな基地局はピコノードＢ  １００基地局と称される。
【００４８】
ピコノードＢ  １００は以下の点に関して優れている。
カバレージが高い。すなわち、ホワイトスポット（マクロ基地局によってカバレージがサポートされない領域）をカバーできる。
例えば空港ターミナル、ショッピングモール、オフィス、鉄道および地下鉄の駅などの局所的な屋内ホットスポットで容量を付加する。
音声および高速データサービスのため、オフィス環境において局部的カバレージおよび容量を与える。
マクロネットワークをオフロードすることにより無線ネットワークにおける全体の質を高める。
【００４９】
図１は、ピコノードＢ  １００とも称される本発明に係る基地局１００が含まれている通信システムのＲＡＮ（無線アクセスネットワーク）を示している。図の左側に示されるように、ピコノードＢ  １００は、共通のネットワーク内の複数の無線基地局すなわちノードＢのうちの１つとして機能するようになっている。そのような複数の基地局は、屋内マクロノードＢ、屋外マクロノードＢ、マイクロノードＢを含んでいても良い。基地局１００を含むノードＢは、無線通信端末１０１と無線通信するようになっている。ノードＢは、３ＧＰＰに準じたノードＢ−ＲＮＣインタフェースであるインタフェースＩｕｂを介してＲＮＣ（無線ネットワークコントローラ）に接続されている。また、ＲＮＣはＣＮ（コアネットワーク）に対して接続されている。また、ピコノードＢ  １００には、更に後述するＬＭＴ（ローカルマネージメントツール）が結合されていても良い。ＮＮＭ（ノードＢネットワークマネージャ）は、ＲＮＣを介してピコノードＢ  １００に遠隔的に接続可能であり、監視、ソフトウェアアップグレード、アラーム処理などの中央演算（中央動作）機能およびメンテナンス機能を与える。広範囲にわたる内部ハードウェア・ソフトウェア監視はピコノードＢ  １００の機能の一部である。遠隔的に命じられる自己試験能力も含まれる。
【００５０】
本発明によれば、ピコノードＢ  １００は完備型３ＧＰＰ／ＦＤＤノードＢである。ピコノードＢ  １００は、無線ネットワーク内の他のノードＢと共に、ソフトハンドオーバにより１つのキャリアおよび１つのセクタをサポートする。ピコノードＢ  １００は、屋内使用のために最適化されるとともに、それに応じて設計され、すなわち、限られたサービスエリア（カバレージエリア）内で多数の屋内ユーザを扱うことができるように低電力且つ高容量に設計されている。前述したように、ピコノードＢ  １００は、Ｉｕｂインタフェースを使用してＵＴＲＡＮ（ＵＭＴＳ地上波無線アクセスネットワーク）などのＲＡＮシステムに接続している。内部アンテナまたは外部アンテナのいずれかと共に受信ダイバーシティが使用される。ピコノードＢ  １００は複式フィルタ（受信／送信フィルタ）を含んでおり、外部アンテナを使用する場合には外部複式フィルタは不要である。
【００５１】
図２は、本発明に係る基地局すなわちピコノードＢ  １００のモジュール概念を示している。ピコノードＢ  １００のモジュール概念では、ノードＢユニット（ＮＢＵ）４０２が主要なビルディングブロックである。支持ユニット４０１は、ＮＢＵ４０２のための装着フレームおよび異なる規格の電源としての機能を果たす。また、支持ユニットは、例えば火災警報器及び／又は盗難警報器に関連する他の外部ユニットを収容するようにカスタマイズすることもできる。内部アンテナは、離散的な現場設置を行なうためにオプションとして概念に含められており、また、ＮＢＵ４０２に対して直接に取り付けることができるとともに電気的に接続することができる。代わりに外部アンテナと共に構成される場合には、多種多様なタイプのアンテナを接続できる。アンテナの選択は特定の設置環境に依存している。単一指向性または全方向性の標準的なアンテナが一般的に使用される。ピコノードＢ  １００と共に分散型アンテナシステムを使用することもできる。
【００５２】
図４は、ピコノードＢ  １００の典型的な実施形態のモジュール部品を示している。この標準的な構成において、ピコノードＢ  １００は、ノードＢユニット４０２と、内部アンテナ４０３と、ＡＣ／ＤＣ変換器および内部ケーブルを有する電源ユニット３０３を含む支持ユニット４０１と、フロントカバー４０４とを備えている。図５においては、ピコノードＢ  １００が完成した基地局へと組み立てられている。したがって、内部アンテナ４０３がフロントカバー４０４によって覆われている。本発明によれば、フロントカバー４０４は、電磁波を透過する材料、例えばプラスチックにより形成されている。
【００５３】
組立手順および設置手順の好ましい実施形態については以下で更に説明する。
【００５４】
ノードＢユニット４０２は、１つの単一ハードウェアユニットの全ての機能ブロックと共に完備型３ＧＰＰ／ＦＤＤ（周波数分割双方向）ノードＢの機能を有している。ノードＢユニット４０２の機能ブロックの概略が図１０に示されている。ノードＢユニット４０２の好ましい実施形態は以下の機構要素を備えている。
・送信インタフェースブロック
このブロックは、物理層およびＡＴＭ（非同期転送モード）プロトコル、ＩＰ（インターネットパケット）プロトコル、ＵＭＴＳプロトコルおよびＲＮＣへのＩｕｂインタフェースを扱う。
・制御処理ブロック
このブロックは、ＮＢＡＰ（ノードＢアプリケーションパートプロトコル）、Ｏ＆Ｍ機能、呼び出し制御、クロック参照同期化を扱う。
・ベースバンド処理ブロック
このブロックは、トランスポートチャンネル、物理チャンネル、エアーインタフェースを扱う（層Ｉ）。
・ＲＦブロック
このブロックは、ＴＲＸ機能、すなわち、チャンネルフィルタ、ＡＤおよびＤＡ変換、ＴＸ・ＲＸ周波数変換、送信電力増幅器および受信低ノイズ増幅器、ＲＦフィルタリングを扱う。
【００５５】
以下の表１は、好ましい実施形態のピコノードＢ  １００がサポートする主要な特徴を示している。
【表１】
2007531388.tif 000003
【００５６】
ピコノードＢ  １００の好ましい実施形態の送信性能および受信性能の両方が検査された。測定方法および定義については、３ＧＰＰ  ＴＳ２５．１０４ｖ４．５．０「ＢＳ  Ｒａｄｉｏ  ｔｒａｎｓｍｉｓｓｉｏｎ  ａｎｄ  ｒｅｃｅｐｔｉｏｎ（ＦＤＤ）」および３ＧＰＰ  ＴＳ２５．１４１ｖ４．５．０「ＢＳ  ｃｏｎｆｏｒｍａｎｃｅ  ｔｅｓｔｉｎｇ（ＦＤＤ）」を参照されたい。図１１を参照すると、検査のための基準点はノードＢユニット４０２の２つのアンテナコネクタ１１０１，１１０２であった。一方のアンテナコネクタ１１０１は、内部複式フィルタ１１０３に対して接続され、それにより、送信器Ｔｘおよび受信器ブランチＲｘＡに対して接続されている。他方の同軸コネクタ１１０２は、バンドパスフィルタ（帯域通過フィルタ）１１０４を介して他方の受信器ブランチＲｘＢに接続されている。
【００５７】
表２は、オプションの特徴である内部アンテナの性能を示している。
【表２】
2007531388.tif 000004
【００５８】
送信性能は３ＧＰＰ  ＴＳ２５．１０４ｖ４．５．０「ＢＳ  Ｒａｄｉｏ  ｔｒａｎｓｍｉｓｓｉｏｎ  ａｎｄ  ｒｅｃｅｐｔｉｏｎ（ＦＤＤ）」に従っている。以下の表３は最も重要なパラメータを示している。
【表３】
2007531388.tif 000005
【００５９】
受信性能は、ピコセルのために適用できる無線伝播条件においてＤＣＨアップリンク（章８．１−８．５）およびＲＡＣＨ（章８．７）に関しては３ＧＰＰ  ＴＳ２５．１０４ｖ１０４「ＢＳ  Ｒａｄｉｏ  ｔｒａｎｓｍｉｓｓｉｏｎ  ａｎｄ  ｒｅｃｅｐｔｉｏｎ（ＦＤＤ）」に記載された要件を満たす。ピコノードＢ  １００の受信性能は以下の表４に示されている。
【表４】
2007531388.tif 000006
【００６０】
屋内ピコセル用途におけるピコノードＢ  １００受信器を最適化するためには、以下の制約を行なうことが好ましい。
【００６１】
・セル範囲＜１０００ｍ，例えば、ＰＲＡＣＨに関してキャプチャウインドウ（取得ウインドウ）が０〜１０００ｍまでに限られ、また、マルチパスフェーディングを処理するための能力が限られる（＞２μｓ）ことを意味している。
【００６２】
・車両速度＜１２０ｋｍ／ｈ
ＴＳ２５．１０４Ａｎｎｅｘ  Ｂにおける要件と比べると、表５に記載された以下の制約が適用されることが好ましい。
【表５】
2007531388.tif 000007
【００６３】
また、マルチパスフェーディング伝播条件は、以下の表６に記載されるようにピコセルに対応する制約をもって適用されることが好ましい。セル半径が１０００ｍに制限され、速度が１２０ｋｍ／ｈに制限されることが好ましい。
【表６】
2007531388.tif 000008
【００６４】
ピコノードＢ  １００の設置・試運転手順は、別個に行なうことができる２つの部分に分けられる。また、ピコノードＢ  １００を、スタンドアロン（独立型）として、すなわち、送信ネットワークに接続することなく設置して構成することもできる。この接続が後に利用できる場合、試運転の最後の部分は、任意の更なる現地訪問を伴うことなくＮＮＭを介して遠隔的に行なうことができる。言うまでもなく、ピコノードＢ  １００の設置場所が決定され且つ例えば送信、電力、外部機器などの全ての関連する計画が行われることが必要条件である。
【００６５】
ピコノードＢ  １００は、簡単且つ迅速に設置できるように意図的に設計されている。図４に戻ると、現場設置の完備型ピコノードＢ  １００は、支持ユニット４０１（ＡＣ／ＤＣおよび支持カバーを含む）と、ノードＢユニット（ＮＢＵ）４０２と、内部アンテナ４０３（オプション）と、フロントカバー４０４とを備えている。また、送信ケーブルおよび電力ケーブルも含まれていなければならないが、図４には示されていない。
【００６６】
ピコノードＢ  １００の現場設置の最初の部分は機械的な装着および外部ケーブルの接続であり、この部分には主に支持ユニットが関与する。ノードＢユニット４０２は、その後の段階で、例えばピコノードＢ  １００の試運転において、現場に持ち込むことができる。ＡＣ／ＤＣユニットを含む支持ユニットは選択された場所に装着される。標準的な設置は壁装着である。しかしながら、天井および柱装着用の設置キットも可能である。全体の設置には、例えば１００ＶＡＣの電力ケーブル、送信ケーブル、好ましくは必要な容量に応じてＲＪ４５コネクタを有する１本または２本のツイストペアケーブルが必要である。外部アンテナが使用される場合には、ＳＭＡコネクタを有するＲＦケーブルが含まれていても良い。
【００６７】
図３Ａおよび図３Ｂは、ノードＢユニット４０２のための装着フレームとしての機能およびＡＣ／ＤＣ変換器などの外部ユニットのハウジングとしての機能を果たす支持ユニット４０１を示している。本発明に係るピコノードＢ  １００の好ましい実施形態は、約ＡＣ１００−２３０Ｖ＋／−１０％５０／６０Ｈｚの供給電圧を使用するとともに、１００Ｗ未満の最大電力消費量を有している。好ましい実施形態において、ＡＣ／ＤＣからの出力電圧レベルは約１２Ｖであり、これにより、完備した基地局ユニット（図１０のノードＢユニット４０２）を低電圧レベルすなわちこの実施形態では１２Ｖの低い電圧レベル用に設計して承認することができ、一方、支持ユニット（４０１）が標準的な１００Ｖ〜２３０Ｖユニットになるという利点が得られる。標準的な支持ユニット４０１は、垂直壁のために使用され、例えばネジ３０２、ボルト、釘などにより壁に対して取り付けられるようになっている平坦な主部を有するプレート部材３０１を備えている。プレート部材３０１は、図示のように主部から垂直に延びる側壁部材３０６を更に含んでいる。ＡＣ／ＤＣ変換器３０３は、側壁部材３０６に隣接して主プレート部材３０１に取り付けられている。支持ユニット４０１の一部を形成しない電力ケーブル３０４は下方から変換器３０３に対して接続されている。１つの実施形態においては、支持ユニット４０１のＡＣ／ＤＣユニット３０３のための仕切り用の第２の側壁を画定する更なる側壁部材が含まれていても良い。電源３０３を覆うために使用される支持カバー３０５はアルミニウム部品であることが好ましい。図３Ｂは、そのカバー３０５が組み立てられた際の支持ユニット４０１を示している。外部電力ラインは、支持ユニット内のＡＣ／ＤＣユニットに対して接続されている。これは、固定された設備であっても良く、あるいは、壁コンセントに接続されるプラグを有するケーブルを使用して接続されも良い。
【００６８】
支持ユニット４０１に対するノードＢユニット（ＮＢＵ）４０２の装着は、図６〜図９に示されるように行なわれることが好ましい。支持ユニット４０１は、図６に側面図で示されており、例えば側壁部材３０６に形成された凹部６０１の形態を成すハンガー手段をその上部に備えている。この場合、前記凹部は上側が開放されている。ＮＢＵ４０２は図７に側面図で示されている。図示のように、ＮＢＵ４０２の上部は、好ましくは横向きに突出するピン７０１の形態を成す協働するハンガー手段７０１を備えている（図４も参照）。ＮＢＵ４０２は、最初に図８に示されるようにＮＢＵ４０２を支持ユニット４０１に対して所定の角度に保ちつつ突出ピン７０１を凹部６０１内に動かないように配置することにより支持ユニット４０１と係合されるように形成されている。この目的のため、図４にも示されるハンドル７０２が特に有利である。その後、ＮＢＵ４０２は、図９に示されるように支持ユニット４０１上のラッチ手段６０２がＮＢＵ４０２上の協働するラッチ手段７０３とスナップ係合するまで、ピン７０１によって規定される回転軸を中心に回動される。１つの実施形態では、これらのラッチ手段を支持ユニット４０１の側壁部材３０６の外側から利用できる。他の実施形態においては、盗難または改ざんを防止するため、支持ユニット４０１からＮＢＵ４０２を外すために特別な工具が必要とされる。前述したタイプのハンガー手段が単なる典型例であることは言うまでもない。他の実施形態は、支持ユニット４０１の上部の縁部またはピンに引っ掛かるようになっているＮＢＵ４０２上の後方突出フックを備えている。回動機能は、そのような解決策を用いても達成される。図６〜図９に示されない他の実施形態において、前記ラッチ手段は、前記支持ユニット４０１の略Ｌ字形状の突出部と前記基地局ユニット４０２の協働する凹部とにより形成されるスナップロック手段として実現され、前記凹部が前記略Ｌ字形状の突出部と嵌合することにより、前記基地局ユニット４０２が前記支持ユニット４０１に向けて垂直上方および水平にロックされる。支持ユニット４０１及び／又は基地局ユニット４０２の側壁は、回動中に側壁に弾力性を与えるために細長い開口を有していても良く、また、滑らかなロック／アンロックのために突出部に面取りが施されていても良い。図６〜図９に示されない更に他の実施形態において、スナップロック手段は、前記支持ユニット４０１の側壁に配置された例えばハット形状のバネ荷重係合手段と、前記基地局ユニット４０２の側壁の協働する凹部とにより実現される。この構成によっても、基地局（４０２）の滑らかで簡単な取り付け／取り外しを行なうことができる。ハンドル７０２には、ネットワークケーブル、アンテナケーブル、ローカルマネージメントツールを接続するためのイーサネットケーブル、外部アラームケーブルなどを挿通できるケーブルレース溝が設けられていても良い。例えば、ケーブル束は、図５の上側から基地局１００の側壁に沿って延び、基地局ユニット１００の下縁部を通るとともに、更にハンドルのケーブルレース溝内に引き込まれても良い。その後、ケーブルは、例えばハンドルの真下の基地局の下端にあるそれらの対応するインタフェース接点に向けて上向きに取り付けられても良い。ケーブルの接続不良の危険を減らすため、基地局の下端に位置されたインタフェース接点は例えば４５度に傾けられていることが好ましい。このような構成によれば、設置作業を容易にするコンパクトで丈夫な解決策が得られる。
【００６９】
内部アンテナ４０３は、ＮＢＵ４０２上に直接に装着されても良く、好ましくはネジにより機械的に取り付けられる。アンテナ４０３をＮＢＵ４０２のアンテナコネクタ１１０１，１１０２（図１１参照）に対して接続するために、１または複数の送信ケーブルが取り付けられることが好ましい。代わりに外部アンテナが使用される場合には、１または複数の外部アンテナおよび同軸ケーブルが取り付けられる。この場合、前記同軸ケーブルは、ノードＢユニット４０２の１１０１，１１０２に対して直接に接続されるＳＭＡコネクタで終端する。最後に、カバー４０４が装着される。その結果、最初の部分すなわち機械的な現場設置が終了する。
【００７０】
試運転の以下のステップは、設置を終了させ且つピコノードＢ  １００を動作させるために行なわれるものとする。
【００７１】
これが別個の現場訪問である場合には、支持カバーが除去される。電力用の内部ケーブル、すなわち、ＡＣ／ＤＣユニットからノードＢユニット４０２までのＤＣ出力ケーブルが接続される。ピコノードＢ  １００の場所でのアクセスのため、ＮＢＵ４０２のローカルイーサネットベースのＯ＆Ｍインタフェースを使用してＬＭＴ（ローカルマネージメントツール）がノードＢユニット４０２に対して接続される。ノードＢには、ＬＭＴを使用して、特定のピコノードＢ  １００現場のためのオフィスデータおよびアプリケーションソフトウェアの関連するバージョンがロードされなければならない。これは、現場訪問前に、現場で或いは自宅オフィスでロードすることができる。中央演算＆ノードＢへのメンテナンスアクセスを可能にするため、オフィスデータはＩＰパラメータおよびＡＴＭパラメータを少なくとも含んでいても良い。外部アラームが使用される場合には、これらの外部アラームを以下のステップによって規定して構成することができる。
外部アラーム機器を前記基地局ユニット（４０２）に対して接続し、
前記外部アラーム機器のための特定のソフトウェアを制御ブロックユニット（１４０４）へダウンロードして、前記アラーム機器と中央アラーム局との間で通信チャンネルを構築できるようにする。
【００７２】
このソフトウェアダウンロードが行なわれた後、自己検査から始まる検査セッションが行なわれることが好ましい。送信ネットワークへの接続が利用できる場合には、ＲＮＣ通信をチェックするための送信ネットワーク検査、ＮＮＭおよび他のＯ＆Ｍノードとの通信をチェックするためのＯ＆Ｍネットワーク検査も行なわれる。また、ＲＦカバレージ検査が行なわれることが好ましく、その後、ＮＢＵインタフェースを覆うフロントカバーが装着される。これにより、ピコノードＢ  １００はいつでも動作できる状態となる。
【００７３】
ＷＣＤＭＡシステムで使用される従来の基地局は、設置するのに数日を要し或いは数週間かかることさえある。屋内ノードＢが設置されるべき場合には、標準的な屋外ノードＢ機器が使用される。そのような基地局は、極めて複雑であり、スペースを取るとともに、高価である。本発明を用いると、屋内使用に特に適した１時間未満で設置できるノードＢが提供される。設置時間および設置コストの両方が節約され、また、設置されるノードＢは極めてコンパクトであり離散的である。有利な壁装着能力に起因して、ノードＢは、それが作業スペースを殆ど占めないように配置することができる。また、ピコノードＢ  １００のモジュール構造は、簡単なモジュール交換により、修理を特に有利にする。現場交換可能なユニット（フィールド交換可能ユニット）としては、ＮＢＵ４０２、ＡＣ／ＤＣ電源、オプションの内部アンテナが挙げられる。これらは全て３０分未満で交換できる。
【００７４】
前述したように、ノードＢアプリケーションソフトウェアおよびオフィスデータは、ＮＮＭにより遠隔的に或いはＬＭＴを使用して現場で局所的に、ノードＢへインストールすることができる。ＮＮＭ／ＬＭＴは、新しいアプリケーションパッケージ及び／又はオフィスデータをノードＢへ転送する。ソフトウェアインストールはノードＢプロダクトインベントリ機能により支援され、それにより、新たなソフトウェアが既存のノードＢハードウェアと適合するようになる。適合性チェックはＮＮＭまたはＬＭＴにより行なわれる。また、ノードＢのアプリケーションソフトウェアのアップグレードもＮＮＭまたはＬＭＴを使用して行なわれる。アップグレードは、順序付けることができ或いはスケジュールすることができる。
【００７５】
ＮＮＭの主要なタスクは、複数のノードＢに向かって同時に動作する手段を与えることにより、ネットワーク規模の管理を容易に且つ迅速にすることである。また、単一のピコノードＢ  １００の管理、いわゆる要素管理のためにＮＮＭを使用することもできる。ＮＮＭアプリケーションは異なる環境で実行できる。実施形態によれば、サポートされるプラットフォームとしては、Ｗｉｎ２０００  ＯＳを有するＰＣ、標準的なＰＣ（ペンティアムＩＩＩ、５１２ＭＢ  ＲＡＭ、４０ＧＢハードドライブ、ＣＰＵクロック速度  １ＧＨｚ）、Ｓｏｌａｒｉｓ  ８，  Ｓｕｎ  Ｆｉｒｅ  ２８０Ｒを伴うＳＵＮワークステーションが挙げられる。
【００７６】
ＮＮＭは以下のような多くの機能を備えている。
ネットワーク管理サポート：
複数のノードＢの同時管理を可能にするためのノードＢのトポロジービュー
ネットワーク内の新たなノードＢの検出および提示
ノードＢ監視
コンフィギュレーション管理：
ノードＢに対するアプリケーションソフトウェア及び／又はオフィスデータのインストール
ノードＢに対するアプリケーションソフトウェア及び／又はオフィスデータのアップグレード
オフィスデータの移行
ノードＢプロダクトインベントリサポート
状態問い合わせ（アプリケーションおよびインタフェースを実行する）
故障管理（外部アラームを含む）：
ノードＢおよびＮＮＭアラーム提示
アラーム記憶（アクティブアラームリストおよび活動ログ）
アラーム肯定応答
性能管理：
性能管理の制御（測定値収集のスケジューリング、測定データの転送）
性能データの後処理
測定されたＰＭデータの基本的な提示
【００７７】
Ｏ＆Ｍ  ＩＰネットワークに接続された任意の端末からのログインを可能にするＨＴＴＰサーバをＮＮＭが含んでいるという点で、ＮＮＭはウェブベースのＧＵＩ（グラフィカルユーザインタフェース）を有していることが好ましい。
【００７８】
ＬＭＴは、ピコノードＢ  １００のための強制的なインストールツールである。ＬＭＴアプリケーションは、マイクロソフト社のＷｉｎｄｏｗｓ  ＯＳを搭載した標準的なラップトップＰＣ上で実行しても良い。ＬＭＴインストールサポートは以下の機能を含んでいても良い。
ノードＢに対するアプリケーションソフトウェアおよびオフィスデータのダウンロード；
ノードＢのためのインストール検査；
ノードＢからの状態およびアラーム情報の検索；および
外部アラームのコンフィギュレーション。
【００７９】
ＬＭＴ  ＰＣは、ローカルイーサネットベースのＯ＆Ｍインタフェースを介して局所的に接続される。
【００８０】
オフィスデータは、オペレータによって変更できるデータである。オフィスデータは、転送ネットワーク、無線ネットワーク、ＩＰネットワークを含んでいる。また、サイト依存データ、例えば位置情報も設定されなければならない。大きなネットワークのためのオフィスデータはネットワークプランニングツールから生成されると仮定する。ピコノードＢ  １００のためのオフィスデータの主要部はネットワークノードＢマネージャ（ＮＮＭ）を介して挿入されなければならない。その目的のため、ＮＮＭはＧＵＩを与える。
【００８１】
ノードＢがインストールされる際には基本的な通信オフィスデータがロードされても良い。このデータは、ノードＢへの外部管理インタフェースを開く。このデータはＬＭＴを用いてノードＢへロードされる。基本的な通信オフィスデータが挿入されると、ＮＮＭを使用して離れた場所からコンフィギュレーションタスクの残りを実行できる。コンフィギュレーションパラメータの主要部は工場出荷時設定を有している。しかしながら、例えばエンドユーザネットワークのためのＩＰアドレスなど、全てのコンフィギュレーションパラメータを工場出荷時設定できるとは限らない。
【００８２】
以下のコンフィギュレーション領域はオフィスデータの定義を必要とする。
転送ネットワーク；
無線ネットワーク；
ＩＰネットワーク；および
サイトデータ。
【００８３】
ＡＴＭ転送ネットワークオフィスデータは、ユーザおよび制御計画のための通信経路をセットアップするために必要とされる。転送ネットワークは、Ｏ＆Ｍに関してはピコノードＢ  １００と管理ノード（ＮＮＭ、ＦＴＰサーバなど）との間に且つトラフィック部分に関してはピコノードＢ  １００とＲＮＣとの間に通信リンクを構築するように構成されても良い幾つかの層から成る。構成されるべき必要がある層は以下の通りである。
物理層；
ＡＴＭ層；および
ＡＴＭプロトコル層。
【００８４】
無線ネットワークオフィスデータにおいて、ローカルセル識別にはオフィスデータ定義が必要である。
【００８５】
ＩＰネットワークオフィスデータに関しては、Ｏ＆Ｍ  ＩＰネットワークのためのデータを提供しなければならない。ＩＰトラフィックはＡＴＭ（ＡＴＭを介してＩＰ）により実行される。
【００８６】
サイトオフィスデータは、情報データおよび動作データの両方を含んでいる。
【００８７】
ノードＢユニット４０２は、図１１に係る外部インタフェースを有していることが好ましい。
【００８８】
図を参照すると、ＮＢＵインタフェースの１つの実施形態は、以下を備えている。
ツイストペアケーブルを介し且つＡＴＭを送信プロトコルとして使用する、この特定のケースでは２＊ＪＩ（ＩＭＡ）であるが更に例えば２＊ＴＩ（ＩＭＡ）または２＊ＥＩ（ＩＭＡ）であっても良い送信インタフェース（Ｉｕｂ）。ピコノードＢにより使用されるべき特定の送信規格、すなわち、日本国ＪＩ（ＩＭＡ）規格、米国ＴＩ（ＩＭＡ）規格または欧州ＥＩ（ＩＭＡ）規格は、ＥＩ，ＴＩまたはＪＩ規格のソフトウェアを実行するために選択によりオフィスデータのインストール中に構成される。また、各送信ライン毎に送信接続ＬＥＤ表示（黄色）もある。ケーブルコネクタ１１０５，１１０６はネットワークへの接続のために含められている。
ＲｘＡ／ＴｘおよびＲｘＢのための２つのアンテナポート１１０１，１１０２をそれぞれ有するアンテナ（ＲＦ）インタフェース。複式フィルタ１１０３およびバンドパスフィルタ１１０４はノードＢユニット４０２内に含まれている。ＲｘＡおよびＲｘＢはそれぞれ受信ダイバーシティＡおよび受信ダイバーシティＢである。
電源インタフェース。このインタフェースは、使用されるサイトコンフィギュレーションに応じてＡＣ／ＤＣ変換器に接続固定された状態でノードＢの内部にある。内部ノードＢユニット４０２入力は＋１２ＶＤＣであり、外部電源は例えば１００ＶＡＣ（ＡＣ／ＤＣへの入力電圧）。
イーサネットプロトコル規格に適合するローカルＯ＆Ｍ／デバッグインタフェース。ローカルマネージャツール（ＬＭＴ）はこのインタフェースに接続されている。また、ローカルＯ＆Ｍ接続ＬＥＤ表示（黄色）もある。
電源ＯＮのＬＥＤ表示（緑色）および内部故障状態のＬＥＤ表示（赤色）のために使用されるＬＥＤ表示（ＭＭＩ）インタフェース。
オペレータにより規定して構成することができる２つの外部アラーム入力をサポートする外部アラームインタフェース
【００８９】
外部アラームインタフェースは、外部アラーム機器、例えば火災警報器または盗難警報器と、中央アラーム局すなわち監視中央部及び／又はサーバとの間での通信チャンネルの形成を可能にする。基地局の制御処理ユニット１４０４内に組み込まれるべき外部アラームのための特定のソフトウェアはアラームサプライヤから得られる。通常、電話番号またはＩＰアドレスは、特定のアラーム通信ソフトウェアと共に、処理ユニット１４０４内に記憶される。
【００９０】
ピコノードＢ  １００をできる限りコンパクトに且つ軽量にするため、ＮＢＵ４０２の設計においては特定の特徴的構成が使用された。これが図１２〜図１６に示されている。
【００９１】
図１２には、ＮＢＵ４０２の３つの主要なビルディングブロックが示されている。ＮＢＵ４０２は、一体部材または取付部材としてのハンドル１２０２（７０２に対応している）と突出ピン１２０３（７０１に対応している）とを有するバックプレート１２０１を備えている。バックプレート１２０１は、好ましくはネジ、リベット、接着剤等によりバックプレート１２０１の前面１２０４に取り付けられる回路基板１２０６のための支持部材である。バックプレート１２０１はアルミニウムなどの金属によって形成されることが好ましい。図１２には示されていないが、バックプレート１２０１の後面１２０５には冷却フランジが設けられることが更に好ましい。
【００９２】
本発明のこの好ましい実施形態において、制御処理ブロック、ベースバンド処理ブロック、ＲＦブロックの全ての回路は主回路基板１２０６上に配置される。図１３および図１４にも同じスケールで回路基板１２０６が示されている。図１３は回路基板１２０６の物理的構造を示しており、一方、図１４は機能的なレイアウトを示している。図１０および関連する説明を参照すると、回路基板１２０６は、ＲＦブロック１４０１、ベースバンド処理ブロック（１４０２）、および制御処理ブロック（１４０４）のための回路を備えている。ブロック１４０１，１４０２，１４０４の異なる機能要素は、ＤＣ電圧を供給する電源ユニット３０３により給電される。しかしながら、異なる機能要素には異なる電圧レベルが必要とされ、また、異なるレベルの精度も要求とされる。この目的のため、回路基板１２０６には内部ＤＣ／ＤＣブロック１４０３が含まれていることが好ましい。その結果、ＤＣ／ＤＣブロック１４０３は、電源ユニット３０３により給電されるとともに、適合レベルの電圧で電力をＮＢＵ４０２の機能要素に対して供給する。回路基板１２０６は、インタフェース１４０５、すなわち、図１１に示されるコネクタおよびダイオードを更に支持する。インタフェース１４０５は回路基板１２０６の下側から接近できることが好ましい。図１２および図１３に更に示されるように、回路の異なる部分、特にＲＦブロック１４０４の異なる部分は、中間境界部１２０７により互いに分離される。これらの境界部は、例えば金属等の導電材料層によって形成されるとともに、更に後述するようにシールド要素と係合するようになっている。
【００９３】
好ましい実施形態において、送信インタフェースブロックのための回路は、図１２に示されるように回路基板１２０６に対して取り付け可能な別個の回路基板１２１０上に設けられている。１つの実施形態においては、回路基板１２０６，１２１０上の協働するピギーバックコネクタ１２１１，１２１２をそれぞれ使用して接続される。別個の送信インタフェース回路基板１２１０を有することに伴う利点は、ノードＢ  １００をネットワークのＲＮＣへの異なる送信接続タイプに対して適合させることが容易になるという点である。１つの実施形態では、送信インタフェース回路基板１２１０がＥ１タイプ送信（欧州規格）用になっており、異なる実施形態では、Ｊ１送信（日本国規格）用になっており、更に他の実施形態では、Ｔ１タイプ送信（米国規格）用になっている。また、ツイストワイヤの代わりに光ファイバを介したＳＴＭ−１タイプ送信のために、あるいは、通常の電話回線を介したＳＤＳＬのためであっても、特定の送信インタフェース回路基板１２１０を設けることができる。好ましい実施形態では、送信インタフェース回路基板１２１０上にコネクタ１１０５，１１０６が維持される。
【００９４】
結果として、別個の取り外し可能な送信インタフェース回路基板１２１０を含ませると、基地局１００に自由度が得られる。その他の点では、選択された送信タイプにかかわらず同一であって良い。これは、製造の点から見て非常に有利である。
【００９５】
本発明の一実施形態において、アセンブリは、電気回路の冷却が自己対流冷却により達成されるように構成される。ファン等の機械部品の動きを排除することで、可動機械部品の磨耗による構成部品の故障が有利に減少する。また、それは、機械的摩耗の影響を受け易いボーリベアリングを有する冷却ファン等の可動部品のメンテナンスおよび状態監視の必要性を有利に減少させ或いは排除する。このように、空気対流のみにより冷却が達成されるようにアセンブリを構成することにより、基地局の寿命が伸び、また、基地局のランニングコストも低減される。
【００９６】
好ましい実施形態においては、冷却フランジが設けられているバックプレート１２０１に対して直接に取り付けられる単一の回路基板１２０６上に送信インタフェース以外の全ての回路が配置されるようにアセンブリを構成することにより効率的な自己対流冷却が達成される。自己対流冷却は、冷却ファン等の任意の可動要素を欠いているため、装置のノイズが無くなり有益である。
【００９７】
図１２に示されるように、ＮＢＵ４０２は、回路基板１２０６上にわたって取り付けられるフロントプレート１２０８を更に含んでいる。フロントプレート１２０８はネジによりバックプレート１２０１に対して取り付けられることが好ましい。フロントプレート１２０８は、その前面のオプションの内部アンテナに対する機械的なインタフェース１２０９を備えている。他の実施形態において、支持プレート上にＮＢＵ４０２を引っ掛けるようになっている突出ピン１２０３は、バックプレート１２０１にではなく、フロントプレート１２０８に取り付けられていても良い。
【００９８】
図１５は、回路基板１２０６と対向するようになっているフロントプレート１２０８の背面側を示している。この図から分かるように、フロントプレート１２０８は、異なる別個の区画室１５０２を画定する所定のパターンの分離壁１５０１をその背面に備えている。このパターンは、回路基板１２０６の境界部１２０７に対応している。フロントプレート１２０８の全体は、アルミニウム等の金属の一体成形品により形成されている。フロントプレート１２０８が回路基板１２０６上に取り付けられると、分離壁１５０１の外端部が境界部１２０７と係合し、それにより、異なる区画室１５０２内に配置された回路が電気的に囲まれる。同時に、分割壁１５０１は、比較的大きな回路基板１２０６に対する機械的に強固な取り付けを行なうためのサポート手段としての機能を果たし、それにより、確実な組み立てが行なえる。図面に具体的に示されていないが、好ましい実施形態では、ＮＢＵ４０２内の回路基板１２０６を完全に取り囲むため、ＮＢＵ４０２が組み立てられると、フロントプレート１２０８の外側側壁全体が或いは少なくとも側壁の縁の部分が回路基板の側縁上にわたって延在する。
【００９９】
図１６は、本発明の一実施形態において組み立てられたＮＢＵ４０２を下側から見た図を示している。バックプレート１２０１の背面側、すなわち、ピコノードＢ  １００基地局全体が組み立てられるとき支持ユニット４０１のプレート部材３０１の平坦な主部と対向するようになっている側には、冷却フランジ１６０１が図示されている。なお、代わりに、冷却フランジがフロントプレート１２０８に形成されていても良く、あるいは、両方のプレート１２０１，１２０８に冷却フランジが形成されていても良い。また、ハンドル１２０２および突出ピン１２０３も示されている。回路基板１２０６は、バックプレート１２０１とフロントプレート１２０８との間で取り囲まれているため見えない。しかしながら、図１０の典型的な実施形態においても示されているＮＢＵ４０２のインタフェース１４０５は、Ｉｕｂ、支持ユニットの電源、内部アンテナまたは外部アンテナへの接続のために利用できる。
【０１００】
モジュール概念、本発明の構成、含まれる要素の組立に起因して、基地局は非常にコンパクトである。フロントカバーを含む、すなわち、図４に示されるような本発明の一実施形態に係る完備型ピコノードＢ  １００の寸法および重量が以下の表７に示されている。示されている値は、結果として、電源ユニット３０３および内部アンテナ４０３も含んでいる。
【表７】
2007531388.tif 000009
【０１０１】
以上、本発明の原理を実施形態または動作モードにより説明してきた。しかしながら、本発明は、前述した特定の実施形態に限定されるものと解釈されるべきではなく、添付の請求項により規定される本発明の範囲から逸脱することなく、これらの実施形態の変形を当業者が成すことができることは言うまでもない。
【図面の簡単な説明】
【０１０２】
【図１】本発明の一実施形態に係るＲＡＮ（無線アクセスネットワーク）のネットワークアーキテクチャを概略的に示している。
【図２】本発明の一実施形態にしたがって考え出された基地局のモジュール概念を概略的に示している。
【図３】図３Ａおよび図３Ｂは、分解された状態および組み立てられた状態の本発明の実施形態に係る基地局の支持ユニットを概略的に示している。
【図４】図２にしたがって考え出された基地局の異なる物理的モジュール概念を概略的に示している。
【図５】図４にしたがって考え出された組み立てられた基地局を概略的に示している。
【図６】図３Ａおよび図３Ｂの支持ユニットを側面図により概略的に示している。
【図７】本発明の一実施形態に係る基地局ユニットを側面図により概略的に示している。
【図８】図７の基地局ユニットを図６の支持ユニットに対して取り付ける第１のステップを概略的に示している。
【図９】基地局ユニットを支持ユニットに対して取り付ける第２のステップを概略的に示している。
【図１０】本発明の一実施形態に係る基地局の機能ブロックの概要を概略的に示している。
【図１１】本発明の一実施形態に係る基地局のインタフェースを概略的に示している。
【図１２】本発明の好ましい実施形態に係る基地局ユニットの組立を概略的に示している。
【図１３】本発明の好ましい実施形態に係る基地局ユニットのための回路基板を概略的に示している。
【図１４】図１３の回路基板のための機能的なレイアウトを概略的に示している。
【図１５】図１３に示される回路基板に対して取り付けられるようになっているフロントプレートを概略的に示している。
【図１６】下側から見た図１２の組み立てられた基地局ユニットを概略的に示している。
【図１】
2007531388.tif 000010
【図２】
2007531388.tif 000011
【図３Ａ】
2007531388.tif 000012
【図３Ｂ】
2007531388.tif 000013
【図４】
2007531388.tif 000014
【図５】
2007531388.tif 000015
【図６】
2007531388.tif 000016
【図７】
2007531388.tif 000017
【図８】
2007531388.tif 000018
【図９】
2007531388.tif 000019
【図１０】
2007531388.tif 000020
【図１１】
2007531388.tif 000021
【図１２】
2007531388.tif 000022
【図１３】
2007531388.tif 000023
【図１４】
2007531388.tif 000024
【図１５】
2007531388.tif 000025
【図１６】
2007531388.tif 000026
【手続補正書】
【提出日】平成18年1月25日(2006.1.25)
【手続補正１】
【補正対象書類名】特許請求の範囲
【補正対象項目名】全文
【補正方法】変更
【補正の内容】
【特許請求の範囲】
【請求項１】
ＷＣＤＭＡネットワークにおいて屋内で使用されるようになっており、電源ユニット（３０３）を含み且つ支持構造体に対して取り付けられるようになっている支持ユニット（４０１）と、前記支持ユニットにより機械的に支持される完備型基地局ユニット（４０２）とを備えている、基地局（１００）であって、
前記完備型基地局ユニット（４０２）は、前記支持ユニット（４０１）および基地局ユニット（４０２）に設けられた協働するスナップロック手段（６０２，７０３）により前記支持ユニット（４０１）内に固定される別個のドッキングユニットとして構成され、それにより、前記完備型基地局ユニット（４０２）を、前記支持ユニット（４０１）に容易に取り付け／前記支持ユニット（４０１）から容易に取り外すことができることを特徴とする、基地局（１００）。
【請求項２】
前記支持ユニット（４０１）内に収容された前記電源ユニット（３０３）は、前記完備型基地局ユニット（４０２）にＤＣ電圧を供給するＡＣ／ＤＣ変換器を備えていることを更に特徴とする、請求項１記載の基地局（１００）。
【請求項３】
前記基地局ユニット（４０２）は、硬質金属バックプレート（１２０１）と、硬質金属フロントプレート（１２０８）と、前記バックプレートと前記フロントプレート（１２０１）との中間に取り付けられた主回路基板（１２０６）とを備えるサンドイッチ構造を成していることを更に特徴とする、請求項１または２に記載の基地局（１００）。
【請求項４】
前記硬質金属バックプレート（１２０１）が冷却フランジ（１６０１）を備えている、請求項３に記載の基地局（１００）。
【請求項５】
前記バックプレート（１２０１）の冷却フランジ（１６０１）は、前記回路基板（１２０６）から離れて面する側に配置され、これにより、前記主回路基板（１２０６）は、前記バックプレート（１２０１）を通じた自己対流により冷却される、請求項４に記載の基地局（１００）。
【請求項６】
制御処理ブロック、ベースバンド処理ブロック、ＲＦブロックの全ての回路が前記主回路基板（１２０６）上に配置されている、請求項３から５のいずれか一項に記載の基地局（１００）。
【請求項７】
前記主回路基板（１２０６）は、前記主回路基板を前記ブロックのための別個の回路を持つ領域に分割する境界部（１２０７）を備え、前記フロントプレートは、前記境界部（１２０７）と係合して前記別個の回路を互いからシールドする端部を有する内壁（１５０１）を備えていることを更に特徴とする、請求項６に記載の基地局（１００）。
【請求項８】
接点インタフェースにより前記主回路基板（１２０６）に対して取り付け可能な別個の回路基板（１２１０）の形態を成して実現される送信インタフェースブロックを備え、それにより、前記回路基板（１２１０）の容易な交換が可能になることを更に特徴とする、請求項３から７のいずれか一項に記載の基地局（１００）。
【請求項９】
前記支持ユニット（４０１）が支持部材（６０１）を備え、前記基地局ユニット（４０２）は、回動可能な係合状態で前記支持部材（１６０１）に対して接続されるようになっている協働するハンガー手段（７０１）を備え、前記スナップロック手段（６０２，７０３）は、前記支持ユニット（４０１）および前記基地局ユニット（４０２）に設けられ、前記基地局ユニットを回動させることにより互いに係合するようになっていることを特徴とする、請求項１から８のいずれか一項に記載の基地局（１００）。
【請求項１０】
前記スナップロック手段（６０２，７０３）は、前記支持ユニット（４０１）の側壁に設けられた内側に突出するノブと、前記基地局ユニット（４０２）の協働する凹部とによって形成され、前記ノブと前記凹部との係合は、前記基地局ユニット（４０２）を前記支持ユニット（４０１）から垂直上方および水平外側に移動しないようにロックすることを特徴とする、請求項９に記載の基地局（１００）。
【請求項１１】
前記スナップロック手段は、前記支持ユニット（４０１）の側壁に配置されたバネ荷重係合手段と、前記基地局ユニット（４０２）の側壁の協働する凹部とにより実現されることを特徴とする、請求項９に記載の基地局（１００）。
【請求項１２】
前記基地局（１００）は、外部アラーム機器と前記基地局（１００）の制御処理ユニット（１４０４）とを接続することにより前記外部アラーム機器と中央アラーム局との間に通信チャンネルを形成できる少なくとも１つのインタフェースを備えていることを特徴とする、請求項１から１１のいずれか一項に記載の基地局（１００）。
【請求項１３】
ハンドル（７０２）を備えていることを特徴とする、請求項１から１２のいずれか一項に記載の基地局（１００）。
【請求項１４】
前記基地局ユニット（４０２）が前記支持ユニット（４０１）内に取り付けられるときに前記ハンドル（７０２）が前記基地局ユニット（４０２）の下端に配置され、前記ハンドル（７０２）がケーブルレース溝を更に備えていることを特徴とする、請求項１３に記載の基地局（１００）。
【請求項１５】
前記基地局ユニット（４０２）が前記支持ユニット（４０１）内に取り付けられるときに前記基地局の下端に少なくとも１つのケーブル接点がハンドルの下側で約４５度傾けられて位置されることを特徴とする、請求項１４に記載の基地局（１００）。
【請求項１６】
電磁波を透過する材料から成るフロントカバー（４０４）によって覆われる内部アンテナ（４０３）を備えていることを特徴とする、請求項１から１５のいずれか一項に記載の基地局（１００）。
【請求項１７】
ＷＣＤＭＡネットワークにおいて屋内で使用されるようになっている基地局（１００）であって、電源（３０３）に接続するためのインタフェース（１４０５）を有する基地局ユニット（４０２）と、無線ネットワークコントローラＲＮＣと、アンテナ（４０３）とを備え、前記基地局ユニット（４０２）が、硬質金属バックプレート（１２０１）と、硬質金属フロントプレート（１２０８）と、前記バックプレート（１２０１）と前記フロントプレート（１２０８）との中間に取り付けられた主回路基板（１２０６）とを備え、
制御処理ブロック（１４０４）、ベースバンド処理ブロック（１４０２）、およびＲＦブロック（１４０１）の全ての回路が前記主回路基板（１２０６）上に配置されている、サンドイッチ構造を成している基地局（１００）。
【請求項１８】
前記硬質金属バックプレート（１２０１）が冷却フランジ（１６０１）を備えている、請求項１７に記載の基地局。
【請求項１９】
前記冷却フランジ（１６０１）は、前記回路基板（１２０６）から離れて面する側に配置され、これにより、前記主回路基板（１２０６）は、前記バックプレートの自己対流により冷却される、請求項１８に記載の基地局。
【請求項２０】
前記主回路基板（１２０６）は、前記主回路基板を前記ブロックのための別個の回路を持つ領域に分割する境界部（１２０７）を備え、前記フロントプレート（１２０８）は、前記境界部（１２０７）と係合して前記別個の回路を互いからシールドする端部を有する内壁（１５０１）を備えていることを更に特徴とする、請求項１７から１９のいずれか一項に記載の基地局。
【請求項２１】
前記フロントプレート（１２０８）は内部アンテナ（４０３）を取り付けるための機械的なインタフェースを備え、前記アンテナは、電磁波を透過する材料から成るフロントカバー（４０４）によって覆われる、請求項１７から２０のいずれか一項に記載の基地局。
【請求項２２】
前記主回路基板（１２０６）の制御処理ブロック（１４０４）および無線周波数ブロック（１４０１）は、前記フロントプレート（１２０８）とバックプレート（１２０１）との間に形成された別個のシールドされた区画室内に配置され、それにより、前記制御処理ブロック（１４０４）および無線周波数ブロック（１４０１）が基地局（１００）の他の電気回路から電磁気的にシールドされることを更に特徴とする、請求項１９または２０に記載の基地局。
【請求項２３】
接点インタフェースにより前記主回路基板（１２０６）に対して取り付け可能な別個の回路基板（１２１０）上に送信インタフェースブロックが実現され、それにより、前記回路基板（１２１０）の容易な交換が可能になることを更に特徴とする、請求項１８から２２のいずれか一項に記載の基地局。
【請求項２４】
前記回路基板（１２１０）、前記回路基板（１２０６）のベースバンド処理ブロック（１４０２）およびＤＣ／ＤＣブロック（１４０３）は、前記フロントプレート（１２０８）とバックプレート（１２０１）との間に形成された別個のシールドされた区画室内に配置され、それにより、前記回路基板（１２１０）、前記ベースバンド処理ブロック（１４０２）、および前記ＤＣ／ＤＣブロック（１４０３）が基地局（１００）の他の電気回路から電磁気的にシールドされることを更に特徴とする、請求項２３に記載の基地局。
【請求項２５】
１つ以上のマクロ基地局を含むセルラー無線ネットワークであって、請求項１から２４のいずれか一項に記載の基地局を更に備えることを特徴とする、セルラー無線ネットワーク。
【請求項２６】
ＷＣＤＭＡネットワークにおいて屋内で使用される基地局（１００）の設置を支援するための方法であって、前記基地局が、電源ユニット（３０３）を含む支持ユニット（４０１）と、前記支持ユニット（４０１）により機械的に支持される完備型基地局ユニット（４０２）とを備えている方法において、
前記支持ユニット（４０１）を支持構造体に対して機械的に取り付けるステップと、
前記基地局ユニット（４０２）を前記支持ユニット（４０１）に対して機械的に取り付けるステップと、
前記支持ユニット（４０１）と前記基地局ユニット（４０２）内に配置された協働するスナップロッキング手段（６０２，７０３）を係合することにより前記支持ユニット（４０１）内に前記基地局ユニット（４０２）を機械的にドッキングするステップと、
前記基地局ユニットを、前記ネットワークの無線ネットワークコントローラＲＮＣと、アンテナ（４０３）と、前記電源ユニット（３０３）とに対して接続するステップと、
アプリケーションソフトウェアおよびオフィスデータをマネージメントツールから前記基地局ユニットへとダウンロードして、前記基地局ユニット（４０２）と前記ＲＮＣとの間に通信チャンネルを形成できるようにするステップと、
を含む方法。
【請求項２７】
前記基地局ユニット（４０２）を前記支持ユニット（４０１）に対して機械的に取り付ける前記ステップは、
前記基地局ユニット（４０２）のハンガー部材（７０１）を前記支持ユニット（４０１）の協働する支持部材（６０１）と係合させるステップと、
前記基地局ユニット（４０２）を回動させることにより、前記支持ユニット（４０１）および前記基地局ユニット（４０２）に設けられた協働するスナップロック手段（６０２，７０３）を係合させるステップと、
を含む、請求項２６に記載の方法。
【請求項２８】
外部アラーム機器を前記基地局ユニット（４０２）に対して接続するステップと、
前記外部アラーム機器のための特定のソフトウェアを前記基地局ユニット（４０２）の制御ブロックユニット（１４０４）へとダウンロードして、前記アラーム機器と中央アラーム局との間に通信チャンネルを形成できるようにするステップと、
を更に含む、請求項２６または２７に記載の方法。
【請求項２９】
ローカルマネージメントツールにより前記マネージメントツールを前記基地局ユニットに対して直接に接続して、前記アプリケーションソフトウェアおよびオフィスデータを前記基地局ユニットへ直接にダウンロードできるようにするステップ、
を含む、請求項２６に記載の方法。
【請求項３０】
前記マネージメントツールを前記ネットワークの中央無線ネットワークコントローラＲＮＣに対して接続して、前記アプリケーションソフトウェアおよびオフィスデータを、前記ネットワークを介して前記基地局へダウンロードできるようにするステップ、
を含む、請求項２６に記載の方法。
【請求項３１】
請求項１７から２４のいずれか一項に記載の基地局の組立方法であって、
組立支持体上にバックプレート（１２０１）を配置するステップと、
前記バックプレート（１２０１）上に回路基板（１２０６）を配置するステップと、
前記回路基板（１２０６）を前記バックプレート（１２０１）に対して取り付けるステップと、
前記回路基板（１２０６）上にフロントプレート（１２０８）を配置するステップと、
前記フロントプレート（１２０８）を前記バックプレート（１２０６）に対して取り付けるステップと、
を含む、組立方法。
【国際調査報告】
2007531388.tif 000027
2007531388.tif 000028